(57)【特許請求の範囲】
【請求項１】
第１の接続端子を収容した挿込ハウジングと、前記第１の接続端子と接続する第２の接続端子を収容し前記挿込ハウジングと嵌合する受けハウジングと、該受けハウジングを保持する保持ハウジングとから成り、前記受けハウジング、保持ハウジングの間にばね力を蓄圧した圧縮コイルばねを介在させ、前記挿込ハウジング、受けハウジング同士が嵌合してこれらの間隔が所定の大きさになると、前記挿込ハウジング、保持ハウジング同士が係止すると共に前記圧縮コイルばねの蓄圧力を解放し、前記受けハウジングを前記挿込ハウジング側に付勢することを特徴とする電気コネクタ。
【請求項２】
前記圧縮コイルばねは、前記保持ハウジングに設けた係止開放部に前記圧縮コイルばねを押さえ付ける可動板を係止することにより前記圧縮コイルばねのばね力を蓄圧するようにした請求項１に記載の電気コネクタ。
【請求項３】
前記受けハウジングを貫通してその底壁の外面に突出した前記挿込ハウジングの軸部が、前記係止開放部に係止すると共に、前記係止開放部を変形することにより前記可動板の係止を解放する請求項２に記載の電気コネクタ。
【請求項４】
前記第１の接続端子と第２の接続端子のうちの一方の接続端子は、他方の接続端子に接続する先細の円錐状部を有する請求項１に記載の電気コネクタ。
【発明の詳細な説明】
【０００１】
【発明の属する技術分野】
本発明は、ハウジング同士を嵌合した際に、それぞれに収容した接続端子同士を接続すると共に、それらの間の接触圧を確保する電気コネクタに関するものである。
【０００２】
【従来の技術】
従来の電気コネクタでは、ハウジング同士を嵌合するだけで接続端子同士の間の接触圧を確保するようになっている。
【０００３】
【発明が解決しようとする課題】
しかしながら、ハウジングが多数の接続端子を収容した場合に、接続端子同士を良好な電気的接触状態を確保して結合するためには、多大な力を必要とするという問題点がある。
【０００４】
本発明の目的は、上述の問題点を解消し、コイルばねによる付勢力を利用して多数の接続端子同士を良好な電気的接触状態を確保して結合し得る電気コネクタを提供することにある。
【０００５】
【課題を解決するための手段】
上記目的を達成するための本発明に係る電気コネクタは、第１の接続端子を収容した挿込ハウジングと、前記第１の接続端子と接続する第２の接続端子を収容し前記挿込ハウジングと嵌合する受けハウジングと、該受けハウジングを保持する保持ハウジングとから成り、前記受けハウジング、保持ハウジングの間にばね力を蓄圧した圧縮コイルばねを介在させ、前記挿込ハウジング、受けハウジング同士が嵌合してこれらの間隔が所定の大きさになると、前記挿込ハウジング、保持ハウジング同士が係止すると共に前記圧縮コイルばねの蓄圧力を解放し、前記受けハウジングを前記挿込ハウジング側に付勢することを特徴とする。
【０００６】
【発明の実施の形態】
本発明を図示の実施例に基づいて詳細に説明する。
図１は実施例の断面図であり、例えば自動車のダッシュパネルＰに受けハウジング１がブラケット２と中継ハウジング２’を介して移動自在に取り付けられている。受けハウジング１には挿込ハウジング３が中途まで嵌合されており、この挿込ハウジング３はダッシュパネルＰに組み付けられる図示しないインストルメントパネルに取り付けられている。また、受けハウジング１には積層フラットケーブル４の端末部５が例えば４方向から導入され、端末部５には多数個の凸型端子６が固定されている。そして挿込ハウジング３には、電線７に接続されて凸型端子６と接続する多数個の凹型端子８が収容されている。
【０００７】
ブラケット２はダッシュパネルＰに固定されて中継ハウジング２’の下部を全ての方向に移動自在に収容する収容箱９と、この収容箱９に組み付けられて中継ハウジング２’の下部が収容箱９から抜け出すことを防止する抜け防止部材１０とから構成されている。収容箱９の内部には、中継ハウジング２’を球状面に沿って案内する案内部材１１が配置されている。そして、中継ハウジング２’の内部には、受けハウジング１を挿込ハウジング３側に可動板１２を介して付勢する圧縮コイルばね１３が配置されている。
【０００８】
受けハウジング１は合成樹脂製とされ、挿込ハウジング３を嵌合する嵌合孔２１を形成する円筒状の側壁２２を有し、側壁２２には挿込ハウジング３を嵌合孔２１に案内するテーパ状の案内面２２ａが形成されている。側壁２２の下部の底壁２３の中央には、挿込ハウジング３の後述する軸部材を底壁２３の下方に貫通させる筒部２４が立設され、筒部２４の外周には複数の図示しない隔壁が放射状に設けられている。そして、側壁２２の内面には挿込ハウジング３を所定の位置関係に保持しながら案内する案内溝２５が設けられている。
【０００９】
また、側壁２２には積層フラットケーブル４の端末部５を挿通させる例えば４つのケーブル挿通窓２６が、隔壁同士の間に位置するように形成されている。積層フラットケーブル４の端末部５は、その底面に設けられた係止突起５ａを介して受けハウジング１の底壁２３に係止されている。そして底壁２３の下面には、可動板１２を軸線方向に移動自在に収容する凹部２３ａが形成されている。
【００１０】
中継ハウジング２’も合成樹脂製とされ、受けハウジング１の側壁２２を嵌合する嵌合孔３１を形成する円筒状の側壁３２を有し、側壁３２には積層フラットケーブル４を挿通しその上下動を許容するケーブル挿通窓３３が設けられている。側壁３２の下部の底壁３４の外周にはフランジ部３５が設けられ、底壁３４の下面には軸線上に中心を有する凹球状面部３６が形成されている。そして、底壁３４の内面の中心には、可動板１２を解放自在に係止すると共に挿込ハウジング３を係止する係止解放部３７が設けられている。
【００１１】
挿込ハウジング３では、合成樹脂製の円柱状のハウジング本体４１の中心に、例えば金属製の軸部材４２が取り付けられている。軸部材４２の周囲のハウジング本体４１には凹型端子８を収容する多数の端子収容孔４３が形成され、ハウジング本体４１の外周には受けハウジング１の案内溝２５に嵌合しハウジング本体４１の回転方向位置を規制する規制突起４４が形成されている。そして、軸部材４２の先端には中継ハウジング２’の係止解放部３７を案内する案内面４５が設けられ、軸部材４２の先端の近傍には中継ハウジング２’の係止解放部３７に係合する環状溝４６が形成されている。
【００１２】
収容箱９は中継ハウジング２’のフランジ部３５を隙間を有して受け入れる孔５１を形成する円筒状の側壁５２を有し、この側壁５２の底部にはダッシュパネルＰに固定される底壁５３が設けられている。側壁５２の外面には、抜け防止部材１０を係止する係止溝５４が形成されており、抜け防止部材１０は中継ハウジング２’の側壁３２を隙間を有して挿通するが、フランジ部３５を挿通させない孔５５を形成する環状部５６を有し、環状部５６には収容箱９の係止溝５４に嵌合する係止部５７が設けられている。
【００１３】
案内部材１１は合成樹脂製又は金属製とされ、中継ハウジング２’の凹球状面部３６に略一致する曲率により中継ハウジング２’側に膨出する球状面部６１と、この球状面部６１の外周縁から収容箱９の底壁５３に平行に延在する環状の平面部６２とを有している。球状面部６１の略中心の近傍には、中継ハウジング２’の凹球状面部３６に当接する少なくとも３個の半球状の小突起６３が周方向に等間隔で形成され、平面部６２の下面には収容箱９の底壁５３に当接する少なくとも３個の半球状の小突起６４が周方向に等間隔で設けられている。
【００１４】
ここで、図２の部分拡大斜視図に示すように、可動板１２には挿込ハウジング３の軸部材４２を挿通させる挿通孔７１が中心に設けられている。また可動板１２には、中継ハウジング２’の係止解放部３７の後述する可撓片を径方向に移動自在に挿通させる例えば４個の挿通孔７２が、挿通孔７１の外方の円周上に等間隔で設けられている。更に可動板１２には、係止解放部３７の後述する上部突起と係合する係合溝７３が、挿通孔７２の内方の上面に形成されている。
【００１５】
一方、図３の部分拡大斜視図に示すように、係止解放部３７は底板３４の上面から円周方向に等間隔で立設された例えば４個の可撓片７４を有し、これらの可撓片７４は可動板１２の挿通孔７２に進入し得るようにされている。可撓片７４の下部には小径部７４ａが設けられ、軸部材４２によって外方に押圧されるようになっている。可撓片７４の先端には、内方に突出して可動板１２の係合溝７３に係合する上部突起７５が設けられ、可撓片７４の上下の略中間には、内方に突出して挿込ハウジング３の軸部材４２の環状溝４６に係合する下部突起７６が設けられている。
【００１６】
このような構成の電気コネクタを使用する際には、先ず中継ハウジング２’の底壁３４の上面に圧縮コイルばね１３と可動板１２を順次に重ね、可動板１２を押し込んで圧縮コイルばね１３を圧縮し、可動板１２の係合溝７３に係止解放部３７の上部突起７５を係合する。そして、受けハウジング１に挿込ハウジング３が完全に嵌合する前までは、可動板１２が圧縮コイルばね１３を圧縮した状態で、係止解放部３７の上部突起７５は可動板１２の係合溝７３に係合されている。案内部材１１を収容箱９の内部に配置した後に、中継ハウジング２’を案内部材１１の上に重ね、抜け防止部材１０を収容箱９に取り付ける。これにより、中継ハウジング２’は案内部材１１によって全ての方向に傾動自在に支持される。
【００１７】
次に、挿込ハウジング３をインストルメントパネルの所定位置に固定すると共に、収容箱９をダッシュパネルＰの所定位置に固定する。また、受けハウジング１を中継ハウジング２’に嵌合した状態で、積層フラットケーブル４の端末部５をケーブル挿通窓３３、２６から受けハウジング１内に挿し込み、端末部５を係止突起５ａにより受けハウジング１に固定し、積層フラットケーブル４の残部をダッシュパネルＰに固定する。これにより、受けハウジング１は中継ハウジング２’に抜け出すことがないように保持される。
【００１８】
このようにした受けハウジング１を備えたダッシュパネルＰに、挿込ハウジング３を備えたインストルメントパネルを組み付けると、挿込ハウジング３のハウジング本体４１が受けハウジング１の案内面２２ａを押圧し、受けハウジング１を中継ハウジング２’と共に挿込ハウジング３の挿込方向に従動させ、挿込ハウジング３と受けハウジング１の軸線を一致させる。このとき、中継ハウジング２’の凹球状面部３６が案内部材１１の小突起６３の上を安定した状態で球状面に沿って摺動し、図４に示すように凸型端子６と凹型端子８は間隔を空けて対向する。
【００１９】
次に、更にインストルメントパネルをダッシュパネルＰ側に押し込むと、挿込ハウジング３の軸部材４２が受けハウジング１の筒部２４と可動板１２の挿通孔７１を通過し、図５に示すように軸部材４２の案内面４５が係止解放部３７の下部突起７６の内側に進入する。そして、軸部材４２が下部突起７６を外方に押圧し、可撓片７４を外方に若干撓ます。このとき、図６に示すように凸型端子６と凹型端子８が略接触する。
【００２０】
続いて、インストルメントパネルをダッシュパネルＰに対する最終位置に押し込むと、軸部材４２が下部突起７６の下方に進入して下部突起７６が軸部材４２の環状溝４６に嵌合し、軸部材４２を介して挿込ハウジング３は中継ハウジング２’に係止される。更に、軸部材４２は可撓片７４の小径部７４ａを押圧することにより、図７に示すように上部突起７５を外方に拡開し、可動板１２の係合溝７３から外す。これにより、可動板１２は解放され、可動板１２は圧縮コイルばね１３に付勢されて上方に移動し、受けハウジング１を挿込ハウジング３側に押圧する。これにより、図８に示すように円錐状の凸型端子６は凹型端子８内に十分に入り込み、凸型端子６と凹型端子８の間の十分な接触圧が確保できる。
【００２１】
このように実施例では、中継ハウジング２’の係止解放部３７は、受けハウジング１に挿込ハウジング３が完全に嵌合する前に、挿込ハウジング３の軸部材４２を係止すると共に可動板１２を解放するので、受けハウジング１を挿込ハウジング３側に圧縮コイルばね１３によって付勢し、凸型端子６の凹型端子８への挿入を助長する。
【００２２】
なお、実施例では１個の圧縮コイルばね１３を設けたが、複数個の圧縮コイルばねを周方向に設けてもよい。また、圧縮ばねの代りに引っ張りコイルばねを用いることもできる。
【００２３】
更に、挿込ハウジング３の軸部材４２を係止解放部３７により係止して中継ハウジング２’と挿込ハウジング３の間隔を所定の大きさに保持するようにしたが、ダッシュパネルＰにインストルメントパネルを固定することにより、中継ハウジング２’と挿込ハウジング３を所定間隔に保持するようにしてもよい。また、挿込ハウジング３と中継ハウジング２’との係止を軸部材４２、係止解放部３７により実施するようにしたが、この係止は両ハウジング１、２’に設けたロック機構により行ってもよい。
【００２４】
【発明の効果】
以上説明したように本発明に係る電気コネクタでは、受けハウジング、保持ハウジングの間にばね力を蓄圧したコイルばねを介在させ、挿込ハウジングと受けハウジングの間隔が所定の大きさになると、挿込ハウジング、保持ハウジング同士が係止すると共に、コイルばねの蓄圧力を解放し、受けハウジングを挿込ハウジング側に付勢するので、コイルばねによる付勢力を利用して多数の接続端子同士を良好な電気的接触状態を確保して結合できる。
【図面の簡単な説明】
【図１】実施例の断面図である。
【図２】可動板の部分拡大斜視図である。
【図３】係止解放部の部分拡大斜視図である。
【図４】凹型端子を断面で示す部分拡大断面図である。
【図５】作用説明図である。
【図６】作用説明図である。
【図７】作用説明図である。
【図８】作用説明図である。
【符号の説明】
１  受けハウジング
２  ブラケット
２’中継ハウジング
３  挿込ハウジング
６  凸型端子
８  凹型端子
１２  可動板
１３  圧縮コイルばね
２３、３４  底壁
３７  係止解放部
４２  軸部材
【図１】
0003926916.tif 000002
【図２】
0003926916.tif 000003
【図３】
0003926916.tif 000004
【図４】
0003926916.tif 000005
【図５】
0003926916.tif 000006
【図６】
0003926916.tif 000007
【図７】
0003926916.tif 000008
【図８】
0003926916.tif 000009